(57)【特許請求の範囲】
【請求項１】
遊技媒体を貯留する貯留部を備えたホッパー装置と、
前記貯留部に貯留された遊技媒体が一定量以上となる場合に、前記貯留部からの遊技媒体が送り込まれる補助受容箱と、
前記ホッパー装置及び前記補助受容箱が収納された筐体と、を備えた遊技機において、
前記筐体は、前面が開口された収納箱と、前記収納箱の前面に回動自在に組み付けられ、前記補助受容箱の引き出しを行う引き出し口を有する前面扉と、前記引き出し口を遮蔽する遮蔽位置および前記引き出し口を露呈する露呈位置の間で、その下端縁を中心に前記遮蔽位置から９０度を超えて回動するように前記前面扉に組み付けられている回収用扉とを備え、
前記補助受容箱は、該補助受容箱の下面から突出するとともにその先端部が前記補助受容箱の引き出し方向に向けて曲げられた係止フックを備え、
前記回収用扉は、引き出された前記補助受容箱の係止フックと係合することで、前記補助受容箱を前記回収用扉に連結させる連結部を備えたことを特徴とする遊技機。 
【発明の詳細な説明】
【技術分野】
【０００１】
本発明は、パチンコ店等の遊技場に設置して使用されるスロットマシン等の遊技機に関するものである。
【背景技術】
【０００２】
本明細書中では遊技機の１つとしてパチスロ機などのスロットマシンを例に挙げて説明しているため、遊技を行うための遊技媒体としてメダルを用いて説明するが、遊技媒体としてはパチンコ球など他の媒体も含む。
【０００３】
パチンコ店などの遊技場に設置して使用されるスロットマシンはパチスロ機と称され、メダルに一定の価値が与えられて、遊技を行って獲得したメダルを種々の景品に交換することができる。このスロットマシンは、前面が開口された収納箱と、この収納箱の前面を覆うように設けられた前面扉とからなる筐体の内部に、複数の図柄が外周面に配列されたリールや、入賞の際にメダルの払い出しを行うホッパー装置等や、これら装置を駆動制御する制御回路基板などが収納された構成からなる。
【０００４】
上述したように、ホッパー装置は遊技を行って入賞を得た場合にメダルを払い出す装置である。このホッパー装置は、入賞の際に払い出すメダルを貯留する貯留部が設けられている。この貯留部には、遊技において入賞が得られた場合にメダルの払い出しが行われるようにメダルが貯留されている。なお、遊技が開始されると、メダル投入口から直接投入されたメダルが貯留部に送り込まれるので、ホッパー装置の貯留部には、ある程度のメダルが貯留された状態で保持されている。
【０００５】
このようなホッパー装置が組み込まれたスロットマシンで遊技が行われた場合に、通常の遊技が行われる通常モードよりも入賞が得やすくなるＢＢモードやＲＢモードに移行しない場合には、ホッパー装置の貯留部には、メダル投入口から投入されるメダルによって満杯（所謂、オーバーフローとなる）ことがある。この状態で遊技が継続されると、メダル投入口から投入されるメダルが貯留箱に入りきらずに、貯留部の上部からスロットマシンの内部に溢れてしまうことになる。このような状態は、スロットマシンの故障等の原因となりやすいため、ホッパー装置の貯留部の側面にはオーバーフロー用の排出口が設けられており、このオーバーフロー用の排出口からメダルを排出させることで、ホッパー装置の貯留部が貯留されるメダルで満杯にならないようにしている。
【０００６】
オーバーフロー用の排出口から排出されるメダルは、排出口の下方に配置されたキャッシュボックス（補助受容箱）と呼ばれるオーバーフロー用の補助箱に受容されるようになっている。キャッシュボックスにおけるメダルの受容量は予め決まっているため、オーバーフロー用の排出口からメダルが排出される状態が継続されると、キャッシュボックスにもメダルが満杯となるまで貯留されることになり、結果的にスロットマシンの内部にメダルが溢れてしまう。このため、現行のスロットマシンには、例えばキャッシュボックス内に受容されるメダルの受容量が一定以上になった場合に、エラー処理が実行されるものが提供されている（特許文献１等）。このエラー処理が実行された場合には、遊技場の店員は前面扉を開け、キャッシュボックスに受容されたメダルを回収する作業を行うことになる。
【特許文献１】特開２００２−３５２１４号公報
【発明の開示】
【発明が解決しようとする課題】
【０００７】
しかしながら、このようにキャッシュボックスに受容されたメダルを回収する場合、スロットマシンの前面に設けられた前面扉を開放するため、そのスロットマシンで遊技を行っている遊技者は、一旦スロットマシンに対応して設けられた椅子から立ち上がり、島設備と島設備との間に設けられた通路に移動してもらう必要がある。また、遊技場の店員は、前面扉を開放した後にキャッシュボックスに受容されたメダルを専用の回収箱に移し替える作業を行うため、メダル回収に伴う作業に手間が掛かり、面倒であるという欠点がある。
【０００８】
本発明は、上記課題を解決するためになされたものであり、キャッシュボックスに受容されたメダルを容易に回収することができるようにした遊技機を提供することを目的とする。
【課題を解決するための手段】
【０００９】
上記目的を達成するために、本発明の遊技機は、遊技媒体を貯留する貯留部を備えたホッパー装置と、前記貯留部に貯留された遊技媒体が一定量以上となる場合に、前記貯留部からの遊技媒体が送り込まれる補助受容箱と、前記ホッパー装置及び前記補助受容箱が収納された筐体と、を備えた遊技機において、前記筐体は、前面が開口された収納箱と、前記収納箱の前面に回動自在に組み付けられ、前記補助受容箱の引き出しを行う引き出し口を有する前面扉と、前記引き出し口を遮蔽する遮蔽位置および前記引き出し口を露呈する露呈位置の間で、その下端縁を中心に前記遮蔽位置から９０度を超えて回動するように前記前面扉に組み付けられている回収用扉とを備え、前記補助受容箱は、該補助受容箱の下面から突出するとともにその先端部が前記補助受容箱の引き出し方向に向けて曲げられた係止フックを備え、前記回収用扉は、引き出された前記補助受容箱の係止フックと係合することで、前記補助受容箱を前記回収用扉に連結させる連結部を備えたことを特徴とする。
【００１１】
また、前記補助受容箱は、その下面から突出して該補助受容箱を支持する支持片を複数備えており、前記支持片は、前記補助受容箱の下面に対する支持片の突出量が前記係止片の突出量よりも長くなるように設けられていることを特徴とする。
【発明の効果】
【００１２】
本発明の遊技機によれば、補助受容箱を引き出した後に、この補助受容箱が連結された回収用扉を回転させるだけで、補助受容箱に受容されたメダル等の遊技媒体を回収することができる。これにより、従来ではメダル等の遊技媒体で満杯で重い補助受容箱を引き出した後に、専用の回収箱に遊技媒体を移し替える作業を行っていたが、本発明では、そのような作業を行わずに済む、つまり、メダルの回収作業を容易に行うことができる。
【００１３】
また、前記筐体は、前面が開口された収納箱と、前記収納箱の前面に回動自在に組み付けられ、前記補助受容皿の引き出しを行う引き出し口を有する前面扉とを備え、前記回収用扉は、前記引き出し口を遮蔽する位置と、前記引き出し口を露呈する位置との間で回動するように前記前面扉に組み付けられているから、補助受容皿に受容された遊技媒体を回収する際に、遊技機内部の構成を遊技場に来ている遊技者に見せることを防止することができる。また、回収扉を前面扉に設けることで、遊技者は、遊技媒体の回収の度に席を離れる必要がなくなるので、遊技者に煩わしさを感じさせる必要がない。
【００１４】
また、前記補助受容箱は、その下面から突出して該補助受容箱を支持する支持片を複数備えており、前記支持片は、前記補助受容箱の下面に対する支持片の突出量が前記係止片の突出量よりも長くなるように設けられているから、例えば支持片が無い場合には補助受容箱の引き出し作業をスムーズに行わせるために補助受容箱の下面から突出した係止片に合わせて収納箱の内面を形成する、つまり、係止片が挿入される溝部を設ける必要があるが、補助受容皿の下面に支持片を設けることで、補助受容箱の引き出し作業をスムーズに行わせることができるとともに、収納箱の内壁面の形状を補助受容皿に合わせて構成する必要がなくなるので、従来の収納箱をそのまま使用することができる。
【発明を実施するための最良の形態】
【００１５】
図１は、遊技場の島設備に配設されるスロットマシンの近傍を示す斜視図である。島設備１０には、本発明のスロットマシン１５が配設される他、スロットマシン１５の側方にメダル貸出機１６が、スロットマシン１５の上方に例えば遊技履歴や遊技状態を表示する表示装置１７がそれぞれ設けられている。なお、これら装置は、周知であるので、その説明は省略する。また、島設備１０は段差面２０を備えており、この段差面２０のうち、スロットマシン１５の図１中右側下部には、段差面２０から下方に向けて方形状に切り欠かれている。この切り欠かれた部分２１は、後述する回収扉６０が開放されたときに、回収扉６０が島設備１０に当接することを防止する窪み（以下、窪み２１と称する）。
【００１６】
スロットマシン１５は、収納箱２５と、この収納箱２５の前面に設けられた前面扉２６とからなる筐体２７の内部に、後述する第１リール３５、第２リール３６、第３リール３７、ホッパー装置７８（図３参照）や電源装置７７（図３参照）等が配設された構成となっている。前面扉２６は、上部扉２８と下部扉２９との２枚の扉から構成される。上部扉２８には、その中央に装飾パネル３０が設けられ、この装飾パネル３０の略中央に表示窓３１が設けられている。この表示窓３１の奥には第１リール３５、第２リール３６，第３リール３７が配設されている。周知のように、第１リール３５、第２リール３６、第３リール３７の外周面には、例えば複数種類の図柄が複数個配列される。第１リール３５、第２リール３６、第３リール３７が停止すると、第１リール３５、第２リール３６、第３リール３７に配列された図柄が、１リール当たり３個、表示窓３１を介して表示される。これにより、表示窓９を通して表示される図柄は計９個となり、第１リール３５、第２リール３６、第３リール３７の図柄を１個ずつ組み合わせた直線状の入賞ラインが横３本斜め２本の計５本が設定される。
【００１７】
表示窓３１の下方には、表示装置３８が設けられている。この表示装置３８は、例えば通常モードの遊技よりも、入賞が得やすくなるＢＢ（ビックボーナス）モードや、ＲＢ（レギュラーボーナス）モードにおける遊技数の表示を行う他に、エラーが発生した場合にエラー表示などが行われる。
【００１８】
下部扉２９の上部には、操作パネル４０が設けられている。この操作パネル４０には、遊技の開始時に操作されているＭＡＸベットボタン４１が設けられている。ＭＡＸベットボタン４１は、クレジットされたメダルのうち、使用枚数である３枚のメダルを投入する際に押圧操作される。なお、投入されたメダルとは、クレジットされたメダルを用いてＭＡＸベットボタンを押圧操作するほかに、後述するメダル投入口４８から直接メダルを投入することである。
【００１９】
操作パネル４０には、ペイアウトボタン４２、スタートレバー４３、第１ストップボタン４５、第２ストップボタン４６、第３ストップボタン４７などが設けられている。ペイアウトボタン４２は、クレジットされたメダルを払い出す際に押圧操作されるボタンである。スタートレバー４３は、遊技を実行する際に操作される。
【００２０】
第１ストップボタン４５は、回転する第１リール３５を停止させる際に押圧操作されるボタンである。同様にして、第２ストップボタン４６、第３ストップボタン４７は、回転する第２リール３６、第３リール３７をそれぞれ停止させる際に押圧操作されるボタンである。
【００２１】
下部扉２９であって、操作パネル４０の側部には、遊技を行う際にメダルを投入するためのメダル投入口４８が設けられている。メダル投入口４８の奥にはセレクタ（図示せず）が組み込まれ、不適正なメダルはメダル払出口４９を介してメダル受け皿５０に排出される。また、セレクタは、例えば遊技の途中や各種の操作ボタンが押されたままの状態で投入された等の不適切なタイミングでメダルの投入が行われたときに、投入されたメダルをメダル受け皿５０に排出する。なお、遊技の開始に先立って投入できるメダルの枚数は１〜３枚に限られているため、クレジット機能を用いていないときには、投入された１〜３枚目までのメダルは、自動的に投入され、４枚目以降に投入されたメダルはメダル受け皿５０に排出される。
【００２２】
一方、クレジット機能がオン状態のときには４枚目以降に投入されたメダルは、セレクタに設けられたメダルセンサ（図示省略）で検知された後、例えば５０枚を限度にスロットマシン１５の内部に貯留される。なお、メダルがクレジットされているときに、メダル投入口４８からメダルを投入した場合には、投入された１〜３枚目までのメダルが自動的に投入され、４枚目以降に投入されたメダルがクレジットされる。なお、クレジットされたメダルがある場合には、前述したＭＡＸベットボタン４１の操作によりメダルの投入操作が行われ、その投入枚数がクレジット枚数から逐次に減算される。また、遊技の結果、入賞が得られたときには配当となるメダルもクレジットされ、ペイアウトボタン４２を操作したときにクレジットされているメダルがメダル受け皿５０に払い出される。
【００２３】
下部扉２９であって、操作パネル４０とメダル受け皿５０との間には、スロットマシン１５のイメージとなる図柄や文字等のデザインが施された装飾パネル５１が設けられている。この装飾パネル５１とメダル受け皿５０との側部となる箇所には開口５２が設けられている（図２参照）。この開口５２は、後述するキャッシュボックス（補助受容箱）７９を引き出す際にキャッシュボックス７９が挿通される引き出し口（以下、引き出し口５２）となる。この引き出し口５２は回収扉６０によって被覆されている。
【００２４】
図１及び図２に示すように、回収扉（回収用扉）６０は、キャッシュボックス７９に受容されたメダルを回収する際に回動される。この回収扉６０は、略直方体形状から構成され、その前面６０ａがスロットマシン１５の外観の一部となる意匠面（以下、意匠面６０ａ）となる。この意匠面６０ａの上部には、回収扉６０を回動させる際に掴まれる把手部６１を備えている。また、回収扉６０の側面６０ｂであって、その上部には、この回収扉６０を下部扉２９に施錠する施錠装置６２の鍵穴６３が露呈されている。なお、施錠装置６２の構成は省略するが、回収扉６０が取り出し口５２を被覆している状態で施錠された場合に、その状態を保持できればよいものとする。なお、以下では、回収扉６０が引き出し口５２を被覆した状態を閉じ状態として説明する。
【００２５】
また、この回収扉６０の意匠面６０ａとは反対側となる裏面（背面）６０ｃには、連結部６５が設けられている。この連結部６５は、連結棒６６と、この連結棒６６の両端を支持する支持片６７，６８とから構成される。なお、連結棒６６は、回収扉６０の裏面６０ｃに対して隙間を空けて支持片６７，６８に保持されている。この連結棒６６と回収扉６０の裏面６０ｃとに設ける隙間は、後述するフック９６（図４参照）の厚みよりも広い隙間からなる。この連結棒６６は、後述するキャッシュボックス７９を引き出したときに、キャッシュボックス７９の下面７９ｂから突出するフック９６（図４参照）が係合されることで、キャッシュボックス７９を回収扉６０に連結させる。
【００２６】
この回収扉６０は、ヒンジ７０を介して下部扉２９に組み付けられている。ヒンジ７０は、パネル７１，７２を備えている。これらパネル７１，７２は、その短手方向の一端に、且つ長手方向に沿って筒部７１ａ，７２ａが複数同一間隔を空けて設けられており、パネル７２に設けられる筒部７２ａがパネル７１に設けられた筒部７１ａと筒部７１ａとの間に挿入された状態で、このヒンジ７０の回動軸となるピン７３が各パネルの筒部に挿入される。なお、これらパネル７１，７２のうち、パネル７１は、回収扉６０の下面６０ｄに組み付けられ、パネル７２は取り出し口５２の内壁面５２ａに組み付けられる。このようにヒンジ７０が組み付けられることで、回収扉６０は、ヒンジ７０のピン７３を回動軸として、つまり回収扉６０の下端縁を中心にして回動する。また、この回収扉６０は閉じ状態から９０°以上回動させることができるようになっており、回収扉６０を回動させると、島設備１０の窪み２１の内部に収納される位置まで回動する（図８参照）。また、この回収扉６０が引き出し口５２を遮蔽する位置から９０°回動させると、回収扉６０の裏面６０ｃと、収納箱２５の内壁面２５ｃとが略同一平面となる（図６又は図７参照）。
【００２７】
図３に示すように、収納箱２５は、前面が開口された箱形状から構成されている。この収納箱２５の内部は、仕切り板７５によって、上部収納部２５ａと下部収納部２５ｂとに仕切られている。この上部収納部２５ａには、第１リール３５、第２リール３６、第３リール３７を備えたリールユニット７６が込み込まれる。一方、下部収納部２５ａには、電源装置７７、ホッパー装置７８、キャッシュボックス７９などが収納される。電源装置７７は、スロットマシン１５に給電を行う装置である。この電源装置７７の前面には、主電源となる電源スイッチ８０の他に、キーシリンダ８１、設定変更ボタン８２、選択スイッチ８３などが設けられている。なお、これらについては周知であるから、ここではその説明を省略する。
【００２８】
この電源装置７７の下方には、ホッパー装置７８が組み込まれる。このホッパー装置７８は、上部にメダルを貯留する貯留部８５を備えている。この貯留部８５には、メダル投入口４８から投入されたメダルのうち、正規のメダルと判定されたメダルが送り込まれる。この貯留部８５の側面８５ａには、貯留部８５に貯留されたメダルが一定量となる場合に、キャッシュボックス７９に向けてメダルを排出する排出口８６が設けられている。この排出口８６を設けることで、貯留部８５がメダルで満杯になることが防止される。なお、このホッパー装置７８は、スロットマシン１５における遊技において入賞を得た場合に駆動し、貯留部８５に貯留されたメダルのうち最下層にあるメダルをホッパー装置７８の前面に設けられた払い出し口８７から払い出す。この払い出し口８７から払い出されたメダルは、下部扉２９に設けられたメダル払出口４９からメダル受け皿５０に払い出される。
【００２９】
キャッシュボックス７９は、排出口８６から排出されたメダルを受容するために設けられている。図４に示すように、キャッシュボックス７９は、上面が開口された箱形状から構成されている。この内部の空間９０が、貯留部８５の側面に設けられた排出口８６から排出されるメダルが受容される受容部（以下、受容部９０）となる。このキャッシュボックス７９の側面７９ａには、キャッシュボックス７９を引き出す際に、手によって掴まれる把手部９１を備えている。
【００３０】
また、キャッシュボックス７９の下面７９ｂであって、その四隅には、キャッシュボックス７９を支持する支持片９２，９３，９４，９５が設けられている。このキャッシュボックス７９の下面７９ｂであって、支持片９４と支持片９５との間にはフック（係止フック）９６が設けられている。なお、このキャッシュボックス７９の下面７９ｂに設けられる支持片を四隅に設けた実施形態としているが、これに限定する必要はなく、例えば下面７９ｂの長手方向に延びる支持片を２個、下面の短手方向の両端縁に配置することも可能である。なお、支持片９２と支持片９３との間隔Ｇ、及び支持片９４と支持片９５との間隔Ｈは、連結部６５の支持片６７の側面６７ａから支持片６８の側面６８ａまでの距離Ｉ（図２参照）よりも広く形成されている。
【００３１】
このフック９６は、平板の後端縁を前端縁に向けて半円状に湾曲させた形状から構成されている。このフック９６は、キャッシュボックス７９を引き出したときに、回収扉６０の裏面６０ｃに設けられた連結部６５の連結棒６６に係合される。これにより、キャッシュボックス７９と回収扉６０とが連結される。なお、キャッシュボックス７９の下面７９ａからの支持片９２，９３，９４，９５の突出量Ｋは、フック９６の先端の突出量Ｌよりも大きくなるように設けられている。これにより、キャッシュボックス７９を引き出すときに、フック９６の先端を収納箱２５の内壁面２５ｃに摺接させずに済む。また、このフック９６の幅Ｍは、連結棒６６の長手方向の長さＮ（図２参照）よりも短くなるように形成されている。
【００３２】
次に、このようにして構成されるスロットマシン１５において、キャッシュボックス７９に受容されたメダルを回収する手順について図５〜図８を用いて説明する。例えばスロットマシン１５のキャッシュボックス７９が受容されたメダルで満杯となると、図示しないオーバーフローセンサによりオーバーフローであることが検知され、スロットマシン１５がエラー状態となり、遊技の実行が中断される。これにより、遊技者は遊技場の店員を呼んで、エラー状態を解除してもらう。この場合、遊技場の店員は、回収扉６０の側面６０ｂに露呈された鍵穴６３に専用の鍵を差し込んで、施錠装置６２を解錠する。施錠装置６２を解錠した後、遊技場の店員は、回収扉６０の前面に設けられた把手部６１を掴んで手前に引っ張る。回収扉６０は、その下面６０ｄにヒンジ７０のパネル７１が組み付けられていることから、回収扉６０はヒンジ７０を中心にして、つまり回収扉６０の下端縁を中心にして、図５中Ａ方向に回動する。これにより、引き出し口５２が露呈される。
【００３３】
図６に示すように、回収扉６０を９０°回動させた後、遊技場の店員は、引き出し口５２に手を挿入し、キャッシュボックス７９の把手部９１を掴んで、キャッシュボックス７９を図６中Ｂ方向に引き出す。このとき、回収扉６０の裏面６０ｃ、引き出し口５２の壁面５２ａ、収納箱２５の内壁面２５ｃが略同一平面上となることから、キャッシュボックス７９は引っ掛かることなく、引き出し口５２から回収扉６０の裏面６０ｃまで引き出すことができる。図７に示すように、キャッシュボックス７９を回収扉６０の裏面６０ｃまで引き出すと、キャッシュボックス７９の下面７９ｂに設けられたフック９６が、回収扉６０の裏面６０ｃに設けられた連結棒６６に係合する。これにより、キャッシュボックス７９と回収扉６０とが連結される。
【００３４】
この状態で回収扉６０を図７中Ａ方向に回動させると、回収扉６０が島設備１０に設けられた窪み２１まで入り込込んだ状態で停止する（図８参照）。この状態まで回収扉６０を回動させると、この回収扉６０に連結されたキャッシュボックス７９が傾くことになるので、キャッシュボックス７９の受容部９０に受容されているメダル９９が落下する。なお、フック９６は半円状から構成されているので、図８に示す位置まで回収扉６０が回動した場合であっても、フック６０と連結棒６６との係合が解除される、つまり、キャッシュボックス７９と回収扉６０との連結が解除されることはない。このとき、遊技場の床面には、メダル９９を回収するための回収箱（図示せず）がメダルの落下軌跡上に位置するように置かれていることから、キャッシュボックス７９から落下するメダル９９は、回収箱に受容される。なお、回収扉６０を回動させることでキャッシュボックス７９が傾き、受容されているメダル９９が回収箱に落下することになるが、全てのメダル９９が落下せずに、残る場合がある。この場合は、キャッシュボックス７９の受容部９０に残るメダル９９を遊技場の店員が手でキャッシュボックス７９から回収箱へと回収する。
【００３５】
そして、キャッシュボックス７９に受容されたメダル９９を全て回収箱に回収した後に、回収扉６０を図８中Ｃ方向に回動させる。そして、回収扉６０の裏面６０ｃと収納箱２５の内壁面２５ｃとが略同一平面となる位置まで回収扉６０を回動させた後、キャッシュボックス７９を取り出し口５２から、収納箱２５の内部に（図７中Ｄ方向に）押し込む。フック９６は、その後端縁が前端縁に向けて、且つ半円状に湾曲した形状から構成されているので、キャッシュボックス７９を図７中Ｄ方向に押し込むと、フック９６と連結棒６６との係合が解除される、つまり、キャッシュボックス７９と回収扉６０との連結が解除される。これにより、キャッシュボックス７９が収納箱２５に収納される。そして、回収扉６０を図６中Ｃ方向に回動させて、取り出し口５２を遮蔽する位置まで回動させる、つまり回収扉６０を閉じ状態にした後、鍵を用いて施錠装置６２による施錠を行う。これにより、回収扉６０が閉じ状態で保持される。そして、下部扉２９の解錠を行う鍵穴に解錠キーを差し込んで、解錠を行う方向とは逆に解錠キーを回転させることでリセット処理が行われ、エラー状態が解除される。このようにキャッシュボックス７９に受容されたメダル９９を回収する際に、スロットマシン１５の図１中右方下部に設けられた回収扉６０のみを回動させるので、そのスロットマシンにおいて遊技を行う遊技者が席から立ち上がる必要がない。
【００３６】
本実施形態では、キャッシュボックス７９の下面７９ｂに組み付けられるフック９６よりも突出量が長い支持片９２，９３，９４，９５を設けたが、これに限定する必要はなく、例えば収納箱２５の内壁面２５ｃ、回収扉６０の裏面６０ｃ及び引き出し口５２の内壁面５２ａにフック９６が挿入される溝部を設けることも可能である。また、この他に、例えば収納箱２５の内壁面２５ｃ、回収扉６０の裏面６０ｃ、及び引き出し口５２の内壁面５２ａに、例えばキャッシュボックス７９の移動方向を規制するための溝部を、キャッシュボックス７９の下面７９ｂに設けられる支持片９２、９３，９４，９５に合わせて設けることも可能である。これによれば、キャッシュボックス７９をスムーズに移動させることができるという効果の他に、キャッシュボックス７９の引き出し、押し込み時の移動方向が規制されるので、これら作業を容易に行うことができる。
【００３７】
なお、本実施形態では、上部扉及び下部扉の２枚の扉から前面扉を構成したスロットマシンの例を取り上げているが、これに限定する必要はなく、１枚の前面扉の場合であっても、本発明を用いることが可能である。また、本実施形態では、回収扉を下部扉に対して回動自在に組み付けた、つまり回収扉を下部扉の一部とした実施形態としているが、これに限定する必要はなく、回収扉と下部扉とを別個に収納箱に組み付けた形態としてもよい。
【００３８】
本実施形態では、スロットマシンの例を取り上げているが、これに限定する必要はなく、例えばホッパー装置の貯留部に遊技に使用する遊技媒体を貯留し、貯留された遊技媒体を用いた払い出しを行う遊技機であれば、本発明を用いることができる。
【図面の簡単な説明】
【００３９】
【図１】遊技場の島設備に本発明のスロットマシンを組み込んだ状態を示す斜視図である。
【図２】スロットマシンに設けられる回収扉の近傍の構成を示す斜視図である。
【図３】収納箱の内部の構成を示す斜視図である。
【図４】キャッシュボックスの外観を示す斜視図である。
【図５】回収扉が閉じ状態となる場合を示す説明図である。
【図６】回収扉を閉じ状態から９０°回動させた状態を示す説明図である。
【図７】回収扉とキャッシュボックスとが連結された状態を示す説明図である。
【図８】キャッシュボックスに受容されたメダルを回収する状態を示す説明図である。
【符号の説明】
【００４０】
１０  島設備
１５  スロットマシン
２１  窪み
２５  収納箱
２６  前面扉
２７  筐体
２９  下部扉
５２  引き出し口
６０  回収扉（回収用扉）
６５  連結部
６６  連結棒
７０  ヒンジ
７９  キャッシュボックス（補助受容箱）
９２，９３，９４，９５  支持片
９６  フック（係止フック）
【図１】
0004589259.tif 000002
【図２】
0004589259.tif 000003
【図３】
0004589259.tif 000004
【図４】
0004589259.tif 000005
【図５】
0004589259.tif 000006
【図６】
0004589259.tif 000007
【図７】
0004589259.tif 000008
【図８】
0004589259.tif 000009